(57)【要約】  ハウジング（３６）外部から、ハウジング（３６）内部の機器（３０〜３５）の動作を確認しやすい対基板作業機（１）を提供することを課題とする。  対基板作業機（１）は、ベース（２）と、ベース（２）に配置され、基板（Ｂ）の生産に寄与する所定の動作を行う機器（３０〜３５）を有するモジュール（３）と、を備える。モジュール（３）は、ベース（２）に対して、基板（Ｂ）が生産される生産位置（Ｄ）と、生産位置（Ｄ）からずれたオフセット位置（Ｅ）と、に切換可能である。生産位置（Ｄ）およびオフセット位置（Ｅ）において、機器（３０〜３５）は動作可能である。オフセット位置（Ｅ）における機器（３０〜３５）の動作速度は、生産位置（Ｄ）における機器（３０〜３５）の動作速度よりも、遅い。
2018179200.tif 000002
【特許請求の範囲】
【請求項１】
ベースと、
前記ベースに配置され、基板の生産に寄与する所定の動作を行う機器を有するモジュールと、
を備える対基板作業機であって、
前記モジュールは、前記ベースに対して、前記基板が生産される生産位置と、前記生産位置からずれたオフセット位置と、に切換可能であり、
前記生産位置および前記オフセット位置において、前記機器は動作可能であり、
前記オフセット位置における前記機器の動作速度は、前記生産位置における前記機器の動作速度よりも、遅いことを特徴とする対基板作業機。
【請求項２】
複数の対基板作業機の前記モジュールは、並んで配置され、
前記モジュールは、前記機器が収容され、前記モジュールの並置方向端面に開口部が開設されたハウジングを有し、
前記オフセット位置において、前記開口部を介して、前記機器は、前記ハウジングの外部から認識可能である請求項１に記載の対基板作業機。
【請求項３】
さらに、前記オフセット位置における前記機器の動作を許可する動作許可部を備える請求項１または請求項２に記載の対基板作業機。
【請求項４】
さらに、前記オフセット位置において、前記ベースに前記モジュールを固定可能な固定部を備える請求項１ないし請求項３のいずれかに記載の対基板作業機。
【請求項５】
複数の対基板作業機の前記モジュールは、並んで配置され、
前記モジュールの並置方向に対して交差する方向には、作業者の作業エリアが設定可能な請求項１ないし請求項４のいずれかに記載の対基板作業機。
【発明の詳細な説明】
【技術分野】
【０００１】
本発明は、基板に対して所定の作業を行う対基板作業機に関する。
【背景技術】
【０００２】
特許文献１には、複数の電子部品実装機が並置された生産ラインが開示されている。複数の電子部品実装機は、生産ラインの延在方向に一列に並んでいる。電子部品実装機は、ハウジングと、各種機器（例えば、ＸＹロボット、装着ヘッド、吸着ノズル、基板搬送装置など）と、を備えている。各種機器は、ハウジングの内部に収容されている。
【先行技術文献】
【特許文献】
【０００３】
【特許文献１】特開２００９−１１１０８７号公報
【発明の概要】
【発明が解決しようとする課題】
【０００４】
ここで、作業者が、任意の機器の動作を確認したい場合がある。例えば、実績のない新規の電子部品を基板に装着する場合など、作業者が、吸着ノズルに対する電子部品の吸着状態を、目視したい場合がある。しかしながら、各種機器は、ハウジングの内部に収容されている。また、電子部品実装機、つまりハウジングは、生産ラインの延在方向に並置されている。このため、ハウジング外部から、ハウジング内部の機器の動作を確認しにくい。そこで、本発明は、ハウジング外部から、ハウジング内部の機器の動作を確認しやすい対基板作業機を提供することを目的とする。
【課題を解決するための手段】
【０００５】
上記課題を解決するため、本発明の対基板作業機は、ベースと、前記ベースに配置され、基板の生産に寄与する所定の動作を行う機器を有するモジュールと、を備える対基板作業機であって、前記モジュールは、前記ベースに対して、前記基板が生産される生産位置と、前記生産位置からずれたオフセット位置と、に切換可能であり、前記生産位置および前記オフセット位置において、前記機器は動作可能であり、前記オフセット位置における前記機器の動作速度は、前記生産位置における前記機器の動作速度よりも、遅いことを特徴とする。
【発明の効果】
【０００６】
本発明の対基板作業機によると、モジュールを、生産位置と、オフセット位置と、に切り換えることができる。また、本発明の対基板作業機によると、生産位置のみならず、オフセット位置においても、機器を動かすことができる。
【図面の簡単な説明】
【０００７】
【図１】図１は、本発明の対基板作業機の一実施形態である電子部品実装機が複数並置された生産ラインの斜視図である。
【図２】図２は、同電子部品実装機の斜視図である。
【図３】図３は、同電子部品実装機の右側面図である。
【図４】図４は、同電子部品実装機のブロック図である。
【図５】図５（ａ）は、同電子部品実装機のクランプ装置のリリース状態における前後方向断面図である。図５（ｂ）は、同電子部品実装機のクランプ装置のロック状態における前後方向断面図である。
【図６】図６は、動作確認モードの電子部品実装機を備える生産ラインの斜視図である。
【図７】図７は、その他の実施形態の電子部品実装機が複数並置された生産ラインの上面図である。
【発明を実施するための形態】
【０００８】
以下、本発明の対基板作業機を電子部品実装機として具現化した実施の形態について説明する。
【０００９】
（電子部品実装機の機械的構成）
まず、本実施形態の電子部品実装機の機械的構成について説明する。図１に、本実施形態の電子部品実装機が複数並置された生産ラインの斜視図を示す。図２に、本実施形態の電子部品実装機の斜視図を示す。図３に、同電子部品実装機の右側面図を示す。図４に、同電子部品実装機のブロック図を示す。なお、図２、図３においては、モジュール３のハウジング３６を透過して示す。また、図３においては、ベース２の上壁２０、ハウジング３６の底壁３６１を断面で示す。
【００１０】
図１に示すように、生産ラインＬには、複数の電子部品実装機１が並置されている。複数の電子部品実装機１は、左右方向に一列に並んでいる。電子部品実装機１の前側には、作業者の作業エリアＡが設定されている。図２〜図４に示すように、電子部品実装機１は、ベース２と、モジュール３と、多数のテープフィーダ（部品供給装置）４と、デバイスパレット５と、制御装置７と、クランプ装置８と、を備えている。クランプ装置８は、本発明の「固定部」の概念に含まれる。
【００１１】
ベース２は、工場のフロア（図略）に配置されている。ベース２の上壁２０には、開口部２００が開設されている。また、上壁２０の上面には、左右一対のガイドレール（ベース側ガイド部）２１が配置されている。ガイドレール２１は、前後方向に延在している。
【００１２】
モジュール３は、ベース２の上壁２０に着脱可能に配置されている。モジュール３は、基板搬送装置３０と、ＸＹロボット３１と、装着ヘッド３２と、マークカメラ（撮像装置）３３と、基板昇降装置３５と、ハウジング３６と、表示装置３７と、動作許可部材３８と、を備えている。基板搬送装置３０、ＸＹロボット３１、装着ヘッド３２、マークカメラ３３、基板昇降装置３５は、本発明の「機器」の概念に含まれる。動作許可部材３８は、本発明の「動作許可部」の概念に含まれる。
【００１３】
ハウジング３６は、モジュール３の外殻を構成している。ハウジング３６の内部には、基板搬送装置３０、ＸＹロボット３１、装着ヘッド３２、マークカメラ３３、基板昇降装置３５が収容されている。ハウジング３６の前壁（作業エリアＡ側の壁）の前面、左壁（生産ラインＬ上流側の壁）の左面、右壁（生産ラインＬ下流側の壁）の右面には、開口部３６０が開設されている。左壁の左面、右壁の右面は、本発明の「（モジュールの）並置方向端面」の概念に含まれる。ハウジング３６の底壁３６１の下面には、左右一対の溝部（モジュール側ガイド部）３６２が凹設されている。溝部３６２は、前後方向に延在している。溝部３６２には、ガイドレール２１が摺接している。このため、ベース２に対して、モジュール３は、前後方向にスライド可能である。底壁３６１の下面には、前後一対の凹部３６３が凹設されている。底壁３６１の上面には、左右一対のガイドレール３６４が配置されている。ガイドレール３６４は、前後方向に延在している。
【００１４】
基板搬送装置３０は、前側から後側に向かって、固定壁３００と、第一可動壁３０１と、第二可動壁３０２と、を備えている。第一可動壁３０１、第二可動壁３０２は、各々、図４に示すモータ（アクチュエータ）３０１ａ、３０２ａにより、左右一対のガイドレール３６４に沿って、前後方向に移動可能である。すなわち、基板Ｂの搬送幅を変更可能である。
【００１５】
固定壁３００の後面（内面）および第一可動壁３０１の前面（内面）には、ベルトコンベア（基板搬送部）３０３が配置されている。ベルトコンベア３０３は、左右方向に延在している。同様に、第一可動壁３０１の後面（内面）および第二可動壁３０２の前面（内面）にも、ベルトコンベア３０３が配置されている。一対のベルトコンベア３０３は、各々、図４に示すモータ３０３ａにより駆動される。
【００１６】
基板昇降装置３５は、前後一対の昇降部３５０を備えている。一対の昇降部３５０は、各々、図４に示すモータ３５０ａにより、上下方向に移動可能である。昇降部３５０は、ベルトコンベア３０３の下側に配置されている。基板Ｂの位置は、昇降部３５０により、基板搬送高度の装着準備位置（図３に示す前側の基板Ｂの位置）と、基板搬送高度よりも高度が高い装着位置（図３に示す後側の基板Ｂの位置）と、に切換可能である。
【００１７】
ＸＹロボット３１は、Ｙ方向スライダ３１０と、Ｘ方向スライダ３１１と、左右一対のＹ方向ガイドレール３１２と、上下一対のＸ方向ガイドレール３１３と、を備えている。左右一対のＹ方向ガイドレール３１２は、ハウジング３６の上壁下面に配置されている。Ｙ方向スライダ３１０は、左右一対のＹ方向ガイドレール３１２に、前後方向に摺動可能に取り付けられている。上下一対のＸ方向ガイドレール３１３は、Ｙ方向スライダ３１０の前面に配置されている。Ｘ方向スライダ３１１は、上下一対のＸ方向ガイドレール３１３に、左右方向に摺動可能に取り付けられている。
【００１８】
装着ヘッド３２は、Ｘ方向スライダ３１１に取り付けられている。このため、装着ヘッド３２は、ＸＹロボット３１により、前後左右方向に移動可能である。装着ヘッド３２の下側には、吸着ノズル３２０が交換可能に取り付けられている。吸着ノズル３２０は、装着ヘッド３２に対して、下方、および回転方向（上下方向軸の軸周りの回転方向）に移動可能である。このため、吸着ノズル３２０は、前後、左右、上下、回転方向に移動可能である。Ｙ方向スライダ３１０は図４に示すモータ３１０ａにより、Ｘ方向スライダ３１１は図４に示すモータ３１１ａにより、吸着ノズル３２０は図４に示す昇降用のモータ３２０ａおよび回転用のモータ３２０ｂにより、各々駆動される。
【００１９】
マークカメラ３３は、装着ヘッド３２と共に、Ｘ方向スライダ３１１に取り付けられている。マークカメラ３３は、吸着ノズル３２０の後側に配置されている。マークカメラ３３は、ＸＹロボット３１により、装着ヘッド３２と共に、前後左右方向に移動可能である。マークカメラ３３は、基板Ｂの上面の位置決め用の基準マークＭを、撮像可能である。
【００２０】
デバイスパレット５は、ハウジング３６の前壁の開口部３６０に、装着されている。多数のテープフィーダ４は、各々、デバイスパレット５に着脱可能に装着されている。テープフィーダ４のテープ４０には、長手方向に沿って、複数の電子部品Ｐが収容されている。テープフィーダ４の上面の後端部には、部品取出位置Ｃが設定されている。部品取出位置Ｃは、ハウジング３６の内部に収容されている。吸着ノズル３２０は、部品取出位置Ｃから電子部品Ｐを取り出し、基板Ｂの所定の装着座標に装着する。
【００２１】
図３に示すように、クランプ装置８は、ベース２の内部において、開口部２００付近に配置されている。図５（ａ）に、本実施形態の電子部品実装機のクランプ装置のリリース状態における前後方向断面図を示す。図５（ｂ）に、同クランプ装置のロック状態における前後方向断面図を示す。図５（ａ）、図５（ｂ）に示すように、クランプ装置８は、シリンダ揺動軸８０と、シリンダ８１と、ピストン８２と、ピン８３と、ピン揺動軸８４と、を備えている。
【００２２】
シリンダ揺動軸８０は、上壁２０の下面に配置されている。シリンダ８１の前端は、シリンダ揺動軸８０に、揺動可能に取り付けられている。ピストン８２は、シリンダ８１の後端から後側に伸縮可能である。ピン揺動軸８４は、上壁２０の下面に配置されている。ピン８３の中央部は、ピン揺動軸８４に、揺動可能に取り付けられている。また、ピン８３の前端は、ピストン８２の後端（突出端）に、揺動可能に取り付けられている。
【００２３】
図５（ａ）に示すように、リリース状態においては、ピン８３の後端（自由端）は、ベース２の上壁２０の開口部２００の内部に没入している。ピン８３は、モジュール３の底壁３６１の凹部３６３に係合していない。このため、モジュール３は、ベース２に対して、前後方向にスライド可能である。図５（ａ）に示すリリース状態から図５（ｂ）に示すロック状態に切り替える場合は、シリンダ８１から、ピストン８２を、後側に突出させる。そして、ピン８３を、ピン揺動軸８４を中心に、図における反時計回り方向に揺動させる。すなわち、ピン８３を開口部２００から上側に突出させる。図５（ｂ）に示すように、ロック状態においては、ピン８３は、モジュール３の底壁３６１の凹部３６３に係合している。このため、モジュール３は、ベース２に固定されている。
【００２４】
このように、クランプ装置８が図５（ａ）に示すリリース状態の場合、ベース２に対してモジュール３を前後方向にスライドすることができる。一方、クランプ装置８が図５（ｂ）に示すロック状態の場合、ベース２に対してモジュール３を固定することができる。
【００２５】
（電子部品実装機の電気的構成）
次に、本実施形態の電子部品実装機の電気的構成について説明する。図４に示すように、  制御装置７は、入出力インターフェイス７０と、演算部７１と、記憶部７２と、を備えている。入出力インターフェイス７０は、駆動回路（図略）を介して、モータ３０１ａ、３０２ａ、３０３ａ、３５０ａ、３１０ａ、３１１ａ、３２０ａ、３２０ｂに、各々接続されている。
【００２６】
また、入出力インターフェイス７０は、表示装置（タッチパネル）３７に接続されている。表示装置３７は、ハウジング３６の前壁の前面に配置されている。制御装置７は、表示装置３７に、電子部品実装機１の状態を表示可能である。また、作業者は、表示装置３７を介して、電子部品実装機１に所定の指示を入力可能である。
【００２７】
また、入出力インターフェイス７０は、動作許可部材３８に、着脱可能に接続されている。制御装置７は、後述するオフセット位置において、作業者が動作許可部材３８を把持している間に限って、基板搬送装置３０、ＸＹロボット３１、装着ヘッド３２、マークカメラ３３、基板昇降装置３５を駆動することができる。
【００２８】
（電子部品実装機の動き）
次に、本実施形態の電子部品実装機の動きについて説明する。電子部品実装機１は、生産モードと、動作確認モードと、に切換可能である。図１〜図３に示すように、生産モードにおいて、全てのモジュール３は、生産位置Ｄに配置されている。図３、図５（ｂ）に示すように、生産位置Ｄにおいて、クランプ装置８は、ロック状態に切り換えられている。具体的には、図３に示すように、モジュール３の底壁３６１には、前後一対の凹部３６３が配置されている。クランプ装置８のピン８３は、前側の凹部３６３に係合している。このため、ベース２にモジュール３が固定されている。
【００２９】
生産モードにおいては、生産ラインＬに配置された複数の電子部品実装機１が、各々、自身に割り当てられた電子部品Ｐを、基板Ｂの所定の装着座標に装着する。一例として、図１に示す左から二番目の電子部品実装機１について説明すると、図４に示す制御装置７は、まず、基板搬送装置３０を駆動し、左側（上流側）の別の電子部品実装機１から装着準備位置（図３に示す前側の基板Ｂの位置）に、左壁の開口部３６０を介して、基板Ｂを搬入する。次に、制御装置７は、基板昇降装置３５を駆動し、基板Ｂを装着位置（図３に示す後側の基板Ｂの位置）まで持ち上げる。続いて、制御装置７は、ＸＹロボット３１、装着ヘッド３２を駆動し、部品取出位置Ｃから基板Ｂの所定の装着座標まで、電子部品Ｐを搬送する。自身に割り当てられた電子部品Ｐの装着が完了したら、制御装置７は、基板昇降装置３５を駆動し、基板Ｂを装着位置から装着準備位置まで下降させる。その後、制御装置７は、基板搬送装置３０を駆動し、装着準備位置から右側（下流側）の別の電子部品実装機１に、右壁の開口部３６０を介して、基板Ｂを搬出する。
【００３０】
図６に、動作確認モードの電子部品実装機を備える生産ラインの斜視図を示す。なお、本実施形態において、動作確認モードの対象となる電子部品実装機１は、左側から二番目の電子部品実装機１である。当該電子部品実装機１を生産モードから動作確認モードに切り換える場合は、まず、作業者が、表示装置３７の画面の切換ボタンに触れる。次に、制御装置７は、クランプ装置８を、図５（ｂ）に示すロック状態から、図５（ａ）に示すリリース状態に、切り換える。続いて、作業者は、作業エリアＡから、ガイドレール２１に沿って、ベース２に対してモジュール３を前側に引き出す。そして、図３に示す後側の凹部３６３を、クランプ装置８のピン８３の、真上に配置する。それから、制御装置７は、クランプ装置８を、図５（ａ）に示すリリース状態から、図５（ｂ）に示すロック状態に、切り換える。すなわち、ベース２にモジュール３を固定する。このようにして、生産モードから動作確認モードへの切換作業が行われる。図５（ｂ）に示すロック状態にすることで、動作確認モードへのインターロックを解除するようにしてもよい。これは生産モードにおいても同様の構成とすることができる。
【００３１】
動作確認モードにおいて、モジュール３は、オフセット位置Ｅに配置されている。オフセット位置Ｅは、生産位置Ｄの前側（作業エリアＡ側）に設定されている。オフセット位置Ｅのモジュール３は、生産位置Ｄのモジュール３に対して、前側に突出している。このため、作業者は、モジュール３の左壁、右壁の開口部３６０を介して、作業エリアＡから、オフセット位置Ｅのハウジング３６内部の機器（基板搬送装置３０、ＸＹロボット３１、装着ヘッド３２、マークカメラ３３、基板昇降装置３５）を、目視にて確認することができる。
【００３２】
動作確認モードにおいては、表示装置３７の画面に、複数の動作ボタンが表示される。複数の動作ボタンは、ハウジング３６内部の複数の機器に対応している。動作確認モードにおいては、まず、作業者が、図４に示す動作許可部材３８を、モジュール３のコネクタ（図略）を介して、制御装置７に接続する。次に、作業者が、表示装置３７の複数の動作ボタンの中から、動作を確認したい機器に対応する動作ボタンを、選択する。例えば、図３に示す部品取出位置Ｃからの電子部品Ｐの取出動作を確認したい場合、作業者は、装着ヘッド３２に対応する動作ボタンに触れる。続いて、作業者は、動作許可部材３８のグリップ（図略）を把持する。制御装置７は、作業者が動作許可部材３８のグリップを把持している間、装着ヘッド３２を動かし、部品取出位置Ｃから電子部品Ｐを取り出す動作を実行する。ここで、動作確認モードにおける装着ヘッド３２の動作速度は、生産モードにおける装着ヘッド３２の動作速度よりも、遅い。例えば、生産モードにおける動作速度を１００％とした場合、１０％以下（例えば１％以上５％以下、さらに望ましいのは２％以上３％以下）である。このため、作業者は、モジュール３の左壁、右壁の開口部３６０を介して、作業エリアＡから、装着ヘッド３２の動作を、目視にて確認することができる。
【００３３】
制御装置７は、所定の動作完了後、装着ヘッド３２を停止させる。なお、所定の動作の途中であっても、作業者が動作許可部材３８のグリップから手を離したら、制御装置７は、装着ヘッド３２を強制停止させる。また、所定の動作の途中であり、かつ作業者が動作許可部材３８のグリップを把持していても、所定のエラーが発生したら（例えば、装着ヘッド３２の動作に用いられる複数のモータ３１０ａ、３１１ａ、３２０ａ、３２０ｂのうち、いずれかの負荷が過大になったとき）、制御装置７は、装着ヘッド３２を非常停止させる。このようにして、制御装置７は、動作確認モードを実行する。ここでは、グリップを例にしたが、ボタンを押したままにすることでも対応できる。ちなみに、動作確認モードでは基板Ｂの所定の装着座標まで、電子部品Ｐを搬送しないようにすることもできる。その際は、電子部品Ｐを搬送するために負圧を発生させたり、クランプ動作を行う必要がない。
【００３４】
動作確認モード後は、生産モードに復帰してもよい。また、生産対象となる基板Ｂの種類を変更する段取り替えや、モジュール３の交換作業（この場合は、オフセット位置からさらにモジュール３を前側に引き出し、ベース２からモジュール３を取り外す。そして、ベース２に別のモジュール３を取り付ける。）を実行してもよい。
【００３５】
（作用効果）
次に、本実施形態の電子部品実装機の作用効果について説明する。図６に示すように、本実施形態の電子部品実装機１によると、モジュール３を、生産位置Ｄと、オフセット位置Ｅと、に切り換えることができる。生産位置Ｄに対して、オフセット位置Ｅは、前側にずれている。このため、複数の電子部品実装機１が左右方向に並んでいる場合、生産位置Ｄのモジュール３に対して、オフセット位置Ｅのモジュール３が、前側に突出することになる。したがって、ハウジング３６の外部から、ハウジング３６の内部の機器（基板搬送装置３０、ＸＹロボット３１、装着ヘッド３２、マークカメラ３３、基板昇降装置３５など）を、確認しやすい。
【００３６】
また、本実施形態の電子部品実装機１によると、生産位置Ｄのみならず、オフセット位置Ｅにおいても、ハウジング３６の内部の機器を動かすことができる。オフセット位置Ｅにおけるハウジング３６の内部の機器の動作速度は、生産位置Ｄにおけるハウジング３６の内部の機器の動作速度よりも、遅い。このため、ハウジング３６の外部から、ハウジング３６の内部の機器の動作を確認しやすい。
【００３７】
また、ハウジング３６の左壁、右壁には、開口部３６０が開設されている。このため、図６に示すように、オフセット位置Ｅにおいて、開口部３６０を介して、ハウジング３６の内部の機器を、ハウジング３６の外部から、確認することができる。また、ハウジング３６の左壁、右壁には、隣接する電子部品実装機１との間で基板Ｂを受け渡す都合上、必ず開口部３６０が開設されている。本実施形態の電子部品実装機１によると、当該開口部３６０を利用して、ハウジング３６の内部の機器をハウジング３６の外部から、確認することができる。
【００３８】
また、図４に示すように、電子部品実装機１は、着脱可能な動作許可部材３８を備えている。オフセット位置においては、作業者が動作許可部材３８のグリップを把持している間だけ、制御装置７がハウジング３６の内部の機器の動作を許可する。このため、作業者が動作許可部材３８のグリップから手を離すことにより、ハウジング３６の内部の機器の動作を強制停止することができる。また、制御装置７は、作業者が動作許可部材３８のグリップを把持していても、所定のエラーが発生したら、ハウジング３６の内部の機器の動作を非常停止させることができる。
【００３９】
また、図５（ａ）、図５（ｂ）に示すように、電子部品実装機１はクランプ装置８を備えている。このため、生産位置Ｄのみならず、オフセット位置Ｅにおいても、ベース２にモジュール３を固定することができる。したがって、オフセット位置Ｅにおけるベース２とモジュール３との位置関係を保持することができる。
【００４０】
また、図６に示すように、ベース２の前側には、作業者の作業エリアＡが設定されている。すなわち、生産位置Ｄに対して、オフセット位置Ｅが、作業エリアＡに近接して（あるいは作業エリアＡ内に）配置されている。このため、作業者が、ハウジング３６の内部の機器の動作を確認しやすい。
【００４１】
＜その他＞
以上、本発明の対基板作業機の実施の形態について説明した。しかしながら、実施の形態は上記形態に特に限定されるものではない。当業者が行いうる種々の変形的形態、改良的形態で実施することも可能である。
【００４２】
図７に、その他の実施形態の電子部品実装機が複数並置された生産ラインの上面図を示す。なお、図６と対応する部位については、同じ符号で示す。図７に示すように、生産ラインＬの前後方向両側には、前後一対の作業エリアＡｆ、Ａｒが設定されている。また、生産位置Ｄの前後方向両側には、各々、三段階のオフセット位置Ｅ１ｆ〜Ｅ３ｆ、Ｅ１ｒ〜Ｅ３ｒが設定されている。電子部品実装機１は、生産位置Ｄ（ベース２）に対して、前側に三段階、後側に三段階、モジュール３をずらすことができる。図７に矢印ａ１〜ａ８で示すように、左右方向に隣り合う任意の一対のモジュール３の前後方向位置が相対的にずれている場合、作業者は、双方のモジュール３のハウジング内部の機器を、確認することができる。特に、左右方向に隣り合う任意の一対のモジュール３のうち、一方を前側のオフセット位置Ｅ１ｆ〜Ｅ３ｆに、他方を後側のオフセット位置Ｅ１ｒ〜Ｅ３ｒに、配置すると、双方の開口部の開口面積が大きくなる。このため、作業者は、双方のモジュール３のハウジング内部の機器を、確認しやすくなる。
【００４３】
また、任意のオフセット位置Ｅ１ｆ〜Ｅ３ｆ、Ｅ１ｒ〜Ｅ３ｒと、当該オフセット位置Ｅ１ｆ〜Ｅ３ｆ、Ｅ１ｒ〜Ｅ３ｒにおいて動作可能な機器と、を関連付けてもよい。例えば、オフセット位置Ｅ１ｆ、Ｅ１ｒにおいて、ＸＹロボット、装着ヘッド、マークカメラを、動作可能にしてもよい。また、オフセット位置Ｅ３ｆ、Ｅ３ｒおいて、ＸＹロボット、装着ヘッド、マークカメラに加えて、基板搬送装置、基板昇降装置を、動作可能にしてもよい。
【００４４】
動作確認モードにおいて動作確認対象となるハウジング３６の内部の機器の種類は、特に限定しない。例えば、所定方向（Ｘ方向（左右方向）、Ｙ方向（前後方向）、Ｚ方向（上下方向）、θｘ方向（Ｘ軸周りに回転する方向）、θｙ方向（Ｙ軸周りに回転する方向）、θｚ方向（Ｚ軸周りに回転する方向）のうち、少なくとも一方向）に動作するロボット、装着ヘッド、電子部品用クランプ（リードクランプ、ボディクランプ）、基板搬送装置、基板昇降装置、照明装置、撮像装置、カット＆クリンチ装置（電子部品のリードの余剰部分を切断し曲げる装置）、スキージ、スクリーンマスクなどであってもよい。また、単一の動作確認モードにおいて、複数の機器の動作（例えば、複数の機器の連係動作）を確認してもよい。
【００４５】
図６に示すオフセット位置Ｅのハウジング３６の左側または右側の開口部３６０を介して、ハウジング３６の内部の機器を、ハウジング３６の外部から、撮像装置（カメラ）により撮像してもよい。また、画像や動画を録画してもよい。
【００４６】
図６に示すオフセット位置Ｅのハウジング３６の左側または右側の開口部３６０に対する、外部からの侵入物を検出するために、電子部品実装機１にセンサ（例えば、遮光センサ、カメラなど）を配置してもよい。また、センサが侵入物を検出した場合、図４に示す制御装置７が機器の動作を非常停止させてもよい。図６に示す開口部３６０の大きさ、形状、配置数は特に限定しない。ハウジング３６の内部に、開口部３６０を介してハウジング３６の外部から認識できるように、鏡を配置してもよい。そして、鏡を介して、所望の機器の動作を確認してもよい。
【００４７】
動作許可部として、電子部品実装機１にキーを配置してもよい。この場合、図４に示す制御装置７は、キーがオンになった場合に限り、オフセット位置Ｅにおいて、ハウジング３６の内部の機器を、動作させる。
【００４８】
部品供給装置として、トレイフィーダ、スティックフィーダ、バルクフィーダなどを配置してもよい。対基板作業機の種類は特に限定しない。ベース２とモジュール３とを備えていればよい。例えば、スクリーン印刷機、基板外観検査装置、リフロー炉などであってもよい。生産ラインＬにおける対基板作業機の配置数（並置数）は特に限定しない。また、生産ラインＬの延在方向と、生産位置Ｄとオフセット位置Ｅとの切換方向と、は互いに直交していなくてもよい。例えば、生産ラインＬの延在方向と、生産位置Ｄとオフセット位置Ｅとの切換方向と、が一致していてもよい。
【符号の説明】
【００４９】
１：電子部品実装機（対基板作業機）、２：ベース、３：モジュール、４：テープフィーダ、５：デバイスパレット、７：制御装置、８：クランプ装置（固定部）、２０：上壁、２１：ガイドレール、３０：基板搬送装置（機器）、３１：ＸＹロボット（機器）、３２：装着ヘッド（機器）、３３：マークカメラ（機器）、３５：基板昇降装置（機器）、３６：ハウジング、３７：表示装置、３８：動作許可部材（動作許可部）、４０：テープ、７０：入出力インターフェイス、７１：演算部、７２：記憶部、８０：シリンダ揺動軸、８１：シリンダ、８２：ピストン、８３：ピン、８４：ピン揺動軸、２００：開口部、３００：固定壁、３０１：第一可動壁、３０１ａ：モータ、３０２：第二可動壁、３０２ａ：モータ、３０３：ベルトコンベア、３０３ａ：モータ、３１０：Ｙ方向スライダ、３１０ａ：モータ、３１１：方向スライダ、３１１ａ：モータ、３１２：Ｙ方向ガイドレール、３１３：Ｘ方向ガイドレール、３２０：吸着ノズル、３２０ａ：モータ、３２０ｂ：モータ、３５０：昇降部、３５０ａ：モータ、３６０：開口部、３６１：底壁、３６２：溝部、３６３：凹部、３６４：ガイドレール、Ａ：作業エリア、Ａｆ：作業エリア、Ａｒ：作業エリア、Ｂ：基板、Ｃ：部品取出位置、Ｄ：生産位置、Ｅ：オフセット位置、Ｅ１ｆ〜Ｅ３ｆ：オフセット位置、Ｅ１ｒ〜Ｅ３ｒ：オフセット位置、Ｌ：生産ライン、Ｍ：基準マーク、Ｐ：電子部品
【図１】
2018179200.tif 000003
【図２】
2018179200.tif 000004
【図３】
2018179200.tif 000005
【図４】
2018179200.tif 000006
【図５】
2018179200.tif 000007
【図６】
2018179200.tif 000008
【図７】
2018179200.tif 000009
【国際調査報告】
2018179200.tif 000010
2018179200.tif 000011
2018179200.tif 000012
2018179200.tif 000013